(57)【要約】【課題】釣糸の竿体内部への円滑な導入を可能とする中通し竿を提供する。【解決手段】この中通し竿は、釣糸導入口８が周面に形成されている元上竿２を有する。また、この釣糸導入口８の周縁形状に沿って形成され釣糸導入口８に合わせた開口を有し、長手方向中央付近の左右両端に軸受けを有するフレーム１０と、フレーム１０の開口に収納可能に形成されており軸受けを介してフレームに回動自在に連結され、釣糸を挿通させるための挿通孔を有するガイドリング１２と備えている。【選択図】　　　図２
2004081066.tif 000002
【特許請求の範囲】
【請求項１】
内部に釣糸通路を有し、前記釣糸通路に釣糸を導入するための釣糸導入口が周面に形成されている竿体と、
前記釣糸導入口の周縁形状に沿って形成され前記釣糸導入口に合わせた開口を有し、長手方向中央付近の左右両端に軸受けを有する基部と、
前記基部の開口に収納可能に形成されており前記軸受けを介して前記基部に回動自在に連結され、釣糸を挿通させるための挿通孔を有する回動部材と
を備える中通し竿。
【請求項２】
前記回動部材は硬質部材からなるリング状の部材である、請求項１に記載の中通し竿。
【請求項３】
内部に釣糸通路を有し、前記釣糸通路に釣糸を導入するための釣糸導入口が周面に形成されている竿体と、
前記釣糸導入口の穂先側及び竿元側の周面にそれぞれ固定される前後の固定部，前記釣糸導入口を長手方向に跨ぐように前記前後の固定部を連結する部材であり竿元側が急傾斜部分で穂先側が緩傾斜部分である連結部，及び前記連結部の急傾斜部分に配置されるガイドリングを有する釣糸導入ガイドとを備え、
前記釣糸導入ガイドの急傾斜部分には開口が形成され、且つ、前記開口の左右側面には軸受けが形成されており、
前記ガイドリングは前記軸受けを介して前記急傾斜部分に回動自在に連結されている、中通し竿。
【発明の詳細な説明】
【０００１】
【発明の属する技術分野】
本発明は、魚釣りに用いる釣竿、特に、内部に釣糸を挿通する中通し竿と呼ばれるタイプの釣竿に関するものである。
【０００２】
【従来の技術】
いわゆる中通し竿と呼ばれるタイプの釣竿は一般に複数の竿体を連結して構成されており、その竿体の中で竿元側に位置する竿体には、リールからの釣糸を竿体内部に導入するために竿体外部と内部の釣糸通路を連通する釣糸導入口が形成されている。この釣糸導入口は一般に竿体の長手方向に長い楕円型をなし、釣糸導入口を跨ぐようにして又は釣糸導入口の竿元側に、リールからの釣糸を釣糸導入口に案内するための釣糸導入ガイドが必要に応じて設置される。
【０００３】
この種の釣糸導入ガイドとしては、その強度や釣糸の円滑な竿体内への導入を可能とするために、様々な形状のものが提供されている。例えば、特開平１０−３１３７３６号公報には、帯板状をした左右のサイドブリッジに内に突出したリング支持片を設け、このリング支持片にガイドリングを装着したものが開示されている（当該公報の図１など参照）。また、特開平１０−１２７２１３号公報には、釣糸導入口の前後で竿体に固定される前後の固定部と、連結部と、中間支持部とを備え、中間支持部にもガイドリングを配置した釣糸導入ガイドが開示されている（当該公報の図２等参照）。これらの中通し竿では、リールからの釣糸は釣糸導入ガイドのガイドリングを介して釣糸導入口より竿体内部へ導かれ、竿体内部の釣糸通路を順次穂先側に至り、最も穂先側の竿体の穂先側端部より外部へ導出されることになる。
【０００４】
このような各種提供されている釣糸導入ガイドは、その強度等を強調して金属板等で形成されており、ガイドリングもこの金属板に直接はめ込まれて固定されている。このため、予めガイドリングの竿体に対する角度は固定され任意に変更できるものではない。
しかし、釣糸の竿体内への円滑な導入のためには状況に応じてガイドリングの角度を変更するのが好ましい場合がある。例えば、竿体の長さを調整した上で釣りを行えるタイプの釣竿では、釣糸導入ガイドとリールとの軸方向距離が変化することがある。このため、良好な釣糸の飛び込み角度も変化するので、ガイドリングの角度を変更するのが好ましい場合がある。また、風が強い状況で釣りを行う場合や異なる太さの釣糸を用いるような場合、良好な釣糸の飛び込み角度が変化するので、ガイドリングの角度を変更するのが好ましいこともある。
【０００５】
【発明が解決しようとする課題】
本発明の課題は、釣糸の竿体内部への円滑な導入を可能とする中通し竿を提供することにある。
【０００６】
【課題を解決するための手段】
発明１の中通し竿は、内部に釣糸通路を有し、釣糸通路に釣糸を導入するための釣糸導入口が周面に形成されている竿体と、釣糸導入口の周縁形状に沿って形成され釣糸導入口に合わせた開口を有し、長手方向中央付近の左右両端に軸受けを有する基部と、基部の開口に収納可能に形成されており軸受けを介して基部に回動自在に連結され、釣糸を挿通させるための挿通孔を有する回動部材とを備える。
【０００７】
この中通し竿では、リールからの釣糸を釣糸導入口から竿体内部の釣糸通路に導入する。具体的には、回動部材の挿通孔に釣糸を通した上で、基部の開口を介して竿体内部に釣糸を導入する。リールからの釣糸の竿体への良好な導入角度が変化すると、回動部材もこの釣糸の導入ガイドの変化に応じて回転して、その竿体に対する角度を変化させる。そして、釣糸は円滑に竿体内部へ導入される。
【０００８】
発明２の中通し竿は、発明１の中通し竿であって、回動部材は硬質部材からなるリング状の部材である。
この回動部材はリング状の部材であり、釣糸と接触してもその滑動を阻害することなく、釣糸を円滑に竿体内部に案内する。
発明３の中通し竿は、内部に釣糸通路を有し、釣糸通路に釣糸を導入するための釣糸導入口が周面に形成されている竿体と、釣糸導入口の穂先側及び竿元側の周面にそれぞれ固定される前後の固定部，釣糸導入口を長手方向に跨ぐように前後の固定部を連結する部材であり竿元側が急傾斜部分で穂先側が緩傾斜部分である連結部，及び連結部の急傾斜部分に配置されるガイドリングを有する釣糸導入ガイドとを備えている。この釣糸導入ガイドの急傾斜部分には開口が形成され、且つ、開口の左右側面には軸受けが形成されており、ガイドリングは軸受けを介して急傾斜部分に回動自在に連結されている。
【０００９】
この中通し竿では、リールからの釣糸を釣糸導入ガイドを介して釣糸導入口から竿体内部の釣糸通路に導入する。ガイドリングに釣糸を通した上で、釣糸導入口から竿体内部に釣糸を導入する。リールからの釣糸の導入角度が変化すると、ガイドリングもこの釣糸の導入ガイドの変化に応じて回転して、その竿体に対する角度を変化させる。そして、釣糸は円滑に竿体内部へ導入される。
【００１０】
【発明の実施の形態】
［第１実施形態］
以下、本発明の第１実施形態について、図面を参照しつつ説明する。
本発明の第１実施形態を採用した釣竿は、図１に示すように、元竿１と、元竿１の穂先側に連結される元上竿２，中竿３，穂先竿４とを有している。これらの各竿体は、所定のプリプレグ素材から構成される先細り筒状部材である。順次竿元側の竿体内部に収納可能な振出形式で連結されており、それぞれの竿体の穂先側端部内周面や竿元側端部外周面は連結時に相互に嵌合するための嵌合部分となっている。特に、元竿１と元上竿２とにあっては、元竿１内に元上竿２を収納した収納状態及び穂先側に引き出した延伸状態の何れにおいても、相互に固定可能である。
【００１１】
また、元上竿２〜穂先竿４においては、竿体内部を釣糸が挿通する釣糸通路として形成している。この釣糸通路の内周面には、釣糸通路を挿通する釣糸を支持し接触面積を低減させるために螺旋状に突起を形成してもよい。
元竿１は、軸方向中央付近の周面に設けられたリール５を脱着自在に装着可能なリールシート６と、竿元側端部に脱着自在に装着される尻栓７とを有している。また、元上竿２の穂先側の周面には釣糸導入口８が設けられており、穂先竿４の穂先側端部にはトップガイド９が装着されている。リール５からの釣糸は釣糸導入口８から元上竿２内に挿入され、順次穂先側の竿体の内部の釣糸通路を挿通し、トップガイド９から外部に導出する。
【００１２】
図２に示すように、元上竿２の釣糸導入口８は軸方向に長い楕円型の長孔であり、この釣糸導入口８付近の構造は、以下のようになっている。即ち、釣糸導入口８の周縁形状に沿って形成され楕円型の開口を有しているフレーム１０が、この釣糸導入口８にはめ込まれている。そして、フレーム１０には、ガイドリング１２が回動自在に連結されている。
【００１３】
フレーム１０は、チタン・ステンレスなどの合金若しくは硬質プラスチックから形成される。釣糸導入口８の周縁にはめ込み固定するための固定部分１０ａと、固定部分１０ａより径外方向に突出するフランジ部分１０ｂとからなる。このフレーム１０の長手方向中央付近における楕円型の左右にはそれぞれ軸受けとなる貫通孔が左右方向に形成されている。
【００１４】
ガイドリング１２はセラミックスなどの硬質部材から構成されるリング部材であって、フレーム１０の長手方向が長径となる楕円型である。フレーム１０の開口内に収納可能な大きさに形成される。このガイドリング１２の長手方向中央付近における楕円型の左右にも貫通孔がそれぞれ形成されており、上述のフレーム１０の軸受けに挿入される左右１対の回動軸１１がこの貫通孔にそれぞれ装着されることで、ガイドリング１２は回動自在にフレーム１０に連結される。
【００１５】
なお、ガイドリング１２と回動軸１１とは比較的その装着径をきつめに設定しておき、ガイドリング１２は任意の角度でフレーム１０に対して固定可能にしてもよい。その他、回動軸１１を例えばネジ止め固定可能とすることで、ガイドリング１２を任意の角度でフレーム１０に対して固定可能にしてもよい。
このような中通し竿では、上述の各竿体を穂先竿４から順次振出形式に引き出して一本の釣竿とした上で、リール５からの釣糸Ｌを釣糸導入口８から元上竿２内部の釣糸通路に導入することになる。具体的には、この釣糸導入口８に装着されているフレーム１０に連結されているガイドリング１２に釣糸Ｌを挿通させて、元上竿２内に導入する。
【００１６】
元竿１内に元上竿２を収納した収納状態、若しくは、元竿１内から元上竿２を引き出した延伸状態の何れにおいてもこの中通し竿は元竿１と元上竿２とを連結固定して釣りを行うことができる。このような操作によってリールシート５と釣糸導入口８との軸方向距離が変化するが、このような釣糸導入角度が変化しても、ガイドリング１２も任意に回動して、釣糸Ｌを円滑に元上竿２内に導入させることができる。
【００１７】
なお、ガイドリング１２を任意の回動位置で固定可能としておけば、釣人が任意の回動位置でガイドリング１２を固定して、釣糸Ｌの導入角度を調整することができる。
［第２実施形態］
以下、第２実施形態として、第１実施形態の変形例を示す。
【００１８】
この中通し竿の元上竿２の釣糸導入口８には、図３に示すように、フレーム２０がはめ込まれており、フレーム２０には回動自在に回動板２２が連結されている。
フレーム２０は、上記第１実施形態と同様のものであり、チタン・ステンレスなどの合金若しくは硬質プラスチックから形成され、固定部分・フランジ部分とからなる。そして、このフレーム２０の長手方向中央付近における楕円型の左右にはそれぞれ軸受けとなる貫通孔が左右方向に形成される。
【００１９】
回動板２２は、セラミックスなどの硬質部材から構成される板状の部材である。フレーム２０の開口内に収納可能な大きさに形成され、フレーム２０の楕円の長手方向が長辺となっている。この回動板２２の長手方向中央付近には左右方向（短辺方向）に貫通する貫通孔が形成されている。そして、上述のフレーム２０の軸受けに挿入される回動軸２１がこの貫通孔をも貫通して、回動板２２はこの回動軸２１を中心としてフレーム２０に回動自在に連結される。なお、上記第１実施形態と同様に、回動板２２と回動軸２１とは比較的その装着径をきつめに設定しておき、回動板２２は任意の角度でフレーム２０に対して固定可能にしておいてもよい。
【００２０】
また、この回動板２２の長手方向の一端、詳しくは、元上竿２の穂先側に相当する一端には、回動板２２の長手方向に伸びる略楕円型の挿通孔２２ａが形成されている。この挿通孔２２ａに釣糸が挿通することになる。
なお、この実施形態では回動板２２そのものをセラミックスなどの硬質部材から形成しているが、回動板２２自体は硬質プラスチックなどから構成し、挿通孔２２ａに別途セラミックス製ガイドなどを装着してもよい。
【００２１】
このような中通し竿でも、第１実施形態と同様の作用効果を奏する。
［第３実施形態］
以下、本発明の第３実施形態について、図面を参照しつつ説明する。
この中通し竿の元上竿２の釣糸導入口８には、図４に示すように、釣糸導入ガイド３０が装着されている。
【００２２】
釣糸導入ガイド３０は、釣糸導入口８の穂先側及び竿元側の周面にそれぞれ固定される前後の固定部３１と、釣糸導入口８を長手方向に跨ぐように前後の固定部３１を連結する連結部３２とを有している。固定部３１及び連結部３２は一枚の金属板等から打ち抜き加工され一体的に形成されている。前後の固定部３１はそれぞれ元上竿２の周面に巻糸で巻回されて固定されている。
【００２３】
連結部３２は、釣糸導入口８の上に空間を形成しながらこの釣糸導入口８を跨いでいる。竿元側が固定部３１より急傾斜で起立する急傾斜部分となっており、頭頂部分から穂先側が緩傾斜部分となっている。急傾斜部分は、図５に示すように、部分的に円形に膨らんでおり、円形部分の左右にはそれぞれ軸受けとなる左右方向に貫通する貫通孔が形成されている。
【００２４】
また、連結部３２の緩傾斜部分の途中の釣糸導入口８の竿元側端付近に相当する軸方向位置には、緩傾斜部分から元上竿２側に垂れ下がっている垂下部３５が形成されている。この緩傾斜部分も、図６に示すように、部分的に円形に膨らんであり、円形部分の左右にはそれぞれ軸受けとなる左右方向に貫通する貫通孔が形成されている。
【００２５】
急傾斜部分の円形部分に第１ガイドリング３３が配置されている。第１ガイドリング３３はセラミックスなどの硬質部材から構成されるリング部材であって、連結部３２の急傾斜部分円形形状に合わせて、その円内に配置されている。この第１ガイドリング３３の左右にも貫通孔がそれぞれ形成されており、上述の連結部３２の軸受けに挿入される左右１対の回動軸３４がこの貫通孔にそれぞれ装着されることで、第１ガイドリング３３は回動自在に連結部３２の急傾斜部分に連結される。また、緩傾斜部分の円形部分には第２ガイドリング３６が配置されている。この第２ガイドリング３６も第１ガイドリング３３と同様であり、回動軸３７を介して回動自在に連結部３２の緩傾斜部分に連結される。なお、これらの第１，第２ガイドリング３３，３６についても、上記第１実施形態と同様に、所定の回動位置で固定可能としておいてもよい。
【００２６】
この中通し竿では、リールからの釣糸を釣糸導入ガイド３０を介して釣糸導入口８から元上竿２内部の釣糸通路に導入する。具体的には、この釣糸導入口８を跨ぐようにして元上竿２に装着されている釣糸導入ガイド３０の連結部３２の第１ガイドリング３３及び第３ガイドリング３６を回動させて任意の回動位置で制止させておく。そして、任意の回動位置において元上竿２に対してそれぞれのガイドリングを良好な角度に調整し、この第１ガイドリング３３，第２ガイドリング３６に順次釣糸を通した上で竿体内部に釣糸を導入する。
【００２７】
［他の実施形態］
（ａ）釣糸導入ガイドとしては、上記第３実施形態のように釣糸導入口を竿体の軸方向に跨ぐように配置されるものに代えて、図７に示すように、釣糸導入口の竿元側の竿体周面に固定され竿体に対して起立しているタイプの釣糸導入ガイド４０を採用してもよい。この場合も、釣糸導入ガイド４０のガイドリング４１をフレーム４２に対して回動自在とする。
【００２８】
【発明の効果】
本発明に係る中通し竿によれば、釣糸の竿体内部への円滑な導入が可能である。
【図面の簡単な説明】
【図１】本発明の第１実施形態を採用した中通し竿の全体図。
【図２】図１の元上竿２の釣糸導入口８付近を示した図。
【図３】本発明の第２実施形態を採用した中通し竿の図２に相当する図。
【図４】本発明の第３実施形態を採用した中通し竿の図２に相当する図。
【図５】図４の釣糸導入ガイド３０の急傾斜部分の正面図。
【図６】図４の釣糸導入ガイド３０の垂下部分の正面図。
【図７】本発明の他の実施形態を採用した釣糸導入ガイド４０を示した図。
【符号の説明】
２　元上竿
８　釣糸導入口
１０，２０　フレーム
１２，２２　ガイドリング
３０　釣糸導入ガイド
３１　固定部
３２　連結部
３３，３６　第１，第２ガイドリング
【図１】
2004081066.tif 000003
【図２】
2004081066.tif 000004
【図３】
2004081066.tif 000005
【図４】
2004081066.tif 000006
【図５】
2004081066.tif 000007
【図６】
2004081066.tif 000008
【図７】
2004081066.tif 000009